(57)【特許請求の範囲】
【請求項１】
ホスフィン（化学式ＰＨ3 ）を、ガス、好ましくは空気で薄層化するためのノズルにおいて、
ノズルは、リング状の間隙(2) を有するかおよびまたは少なくとも１つの側方に取り付けられたＰＨ3 誘導部としての小さな管を有する管状の空気誘導部(6) からなり、そのとき間隙開口の厚さおよびまたは小さな管の開口の太さが管状の空気誘導部の直径の最大１／２５でありおよびまたは空気案内要素の表面とＰＨ3 入口領域の管状の空気誘導部の内側との間の間隔の最大１／２５であることを特徴とするノズル。
【請求項２】
管状の空気誘導部(6) に空気案内要素として弾丸状要素(8) が配置され、その頭部が鋭角で空気入口開口(6) の方向に向いており、そのとき要素(8) の最大直径の領域が管状の空気誘導部(6) にＰＨ3 入口の範囲に存在することを特徴とする請求項１に記載のノズル。
【請求項３】
ノズルがステンレス鋼からなることを特徴とする請求項１または２に記載のノズル。
【請求項４】
ノズルが結合することができる構成部品からなることを特徴とする請求項１から３までのうちのいずれか一つに記載のノズル。
【発明の詳細な説明】
【０００１】
【発明の属する技術分野】
本発明は、ホスフィン（化学式ＰＨ3 ）を、ガス、好ましくは空気で薄層化するためのノズルに関する。
【０００２】
【従来の技術】
ＰＨ3 が１０年来、特に食物（人間や動物のための）に関して、貯蔵保護で害虫管理のためのおよびプロフィラクス(Prophylaxe)のための媒質として使用されている。
【０００３】
周知のように、ＰＨ3 は空気と共に、容易に火の付きやすいガス状混合物を造っているが、その発火の境界が１，８％ＰＨ3 濃度にある。この境界を超えた場合に、ＰＨ3 は自然発火する傾向がある。
【０００４】
それ故、多数の方法と装置がＰＨ3 を空気と共に危険なく薄層化するために提案された。
【０００５】
最も近い技術に関して、ドイツ公開公報（公表された特許出願）第 198 39 385 号を挙げなければならない。これには、空気とＰＨ3 の混合が水の中でまたは水の存在において実施される、ＰＨ3 を空気で直接薄層化する有効な方法が記載されている。いっそう遠い従来技術に関しては、ドイツ特許第 691 29 456 T2および公表された国際特許出願ＷＯ93/25075Ａ１を挙げなければならない。
【０００６】
【発明が解決しようとする課題】
本発明の課題は、ＰＨ3 を空気と共に危険なく薄層化するためノズルの形態の装置であって、便利な装置として容易に輸送可能なかつあらゆる所望される使用場所で迅速に使用可能である装置を提案することである。
【０００７】
それ故、本発明は自在なかつ迅速に使用できる装置を記述する。
【０００８】
例えば、本発明によるノズルは、１時間内で９００００リットルの空気を、空気中で１００００ｐｐｍＰＨ3 の含有量に達するＰＨ3 と混合するために使用することができた。
【０００９】
技術的な背景に関しては、空気とＰＨ3 の燃えやすい混合物の発火の場合に、反応域は超音波速度で広がると言わなければならない。
【００１０】
ＰＨ3 の流れが空気流で案内される場合に、すぐに自然発火が起こり、そのとき小さな爆発がＰＨ3 の出口箇所で起こる。その小さな爆発は、爆発によりもたらされる拡張および続く収縮により直ぐにいわゆる共鳴過程をもたらす。
【００１１】
この現象には、ひゅうひゅうとなる騒音が伴う。これらの爆発により、燐酸とポリ−ホスフィンの黄−赤色流体のような混合物が造られる。
【００１２】
均等な現象が小さな孔を使用した空気流にＰＨ3 の配量によっても検知されたが、その際穿孔は常に黄色酸の汚染により汚くなり、孔の直径が１〜２ｍｍの間にあったときに孔全体がふさがれた。
【００１３】
この前述したマイナスの現象はドイツ公開公報第 198 39 385 により避けられた。なぜなら、水が爆発の共鳴を阻止するからである。
【００１４】
【課題を解決するための手段】
上記の課題は、本発明により、ノズルが、リング状の間隙を有するかおよびまたは少なくとも１つの側方に取り付けられたＰＨ3 誘導部としての小さな管を有する管状の空気誘導部からなり、そのとき間隙開口の厚さおよびまたは小さな管の開口の太さが管状の空気誘導部の直径の最大１／２５でありおよびまたは空気案内要素の表面とＰＨ3 入口の領域の管状の空気誘導部の内側との間の間隔の最大１／２５であることを特徴とする、ホスフィンを薄層化するためのノズルにより解決される。
【００１５】
本発明は、管状の空気誘導部の内壁に沿ってＰＨ3 の薄層をなす流れを発生させることにより、発火の危険もなく発火の境界の下までに空気とＰＨ3 の最適な混合がもたらされるという知識の驚くべき根拠に基づいている。
【００１６】
本発明によるノズルでは、臨界条件が非常に薄い層にのみ現れるという事実により発火の影響が阻止される。ＰＨ3 層は直ぐに強い空気流により一緒に引っ張られそして空気中に混合される。
【００１７】
これにより、混合域で発火の危険もなく、１００００ｐｐｍのＰＨ3 まで含む混合物をつくることができる。このことは、混合域には黄色の燐酸がつくられないということにより制御することができる。
【００１８】
赤熱した棒鉄が５０００ｐｐｍＰＨ3 の濃度までノズルの混合箇所のちょうど前に配置される場合に、連続的な発火が起こらない。もっぱら、発火が起こる限り、ひゅうひゅうという騒音を聞くことができる。実際にはガスでの攻撃のために、２０００ｐｐｍのような比較的高いＰＨ3 含量を有する混合物は使用されない。
【００１９】
【発明の実施の形態】
次に、本発明の性質を、本発明の好ましい実施の形態のような例を示す、添付した図１−３により述べる。図は本発明による装置の断面図である。
【００２０】
図１による実施の形態は、符号１をつけてある、両端の開いた管にある。この管には、環状のアダプタ３を有する環状間隙２を有し、アダプタ３を通って矢印４の方向にＰＨ3 が流れており、その結果入口箇所５で管１の壁に沿って流れている。同時に、空気が管１の開口６の中へ非常に高い速度で矢印６ａの方向に流れており、それによってすでに薄層をなす性質を有するＰＨ3 の流れがなおいっそう薄い層を形成する。空気−ＰＨ3 混合物の出口開口に符号７をつけてあり、混合物の流れ方向には符号７ａをつけてある。
【００２１】
管１内の好ましい実施の形態による薄層をなす流れＰＨ3 の上を非常に速く流れる空気の圧力を増加させるために、弾丸状要素８が配置されており、その頭部が空気入口６へ向かう方向に鋭角を示し、その際弾丸状要素８の最も厚い領域が環状間隙２の範囲に配置され、８はいわゆる空気案内要素である。
【００２２】
管を通って案内される空気は、例えば３５０〜４４０ｍｍ水柱の超過圧力と２５０〜３７０ km/h の速度を有する。
【００２３】
ＰＨ3 のための出口間隙２は、大体０，２ｍｍを超えない直径を有する。０，６ｍｍ；０，３ｍｍおよび０，１ｍｍの環状間隙直径を有するノズルが試験され、その際後者が最適であることが見いだされた。弾丸状要素８があることにより、ＰＨ3 層の上の空気層９の厚さが好ましくは５ｍｍの値を超えないことが果たされる。
【００２４】
図２による実施の形態には、図１と比較して弾丸状要素が存在しない。
【００２５】
本発明によるノズルは、一緒に迅速に配置できるいくつかの要素から容易に造ることができ、その際これらの要素をＯリングによりシールすることができる。好ましくはステンレス鋼からなるノズルは種々の要素に非常に容易に分解し、検査することができ、かつ必要ならば、容易に清浄にすることができる。
【００２６】
図３に示したさらなる実施の形態によれば、ＰＨ3 誘導部の作用は個々の小さい管により実施され、すなわち環状間隙が部分的にまたは全体的に小さい管により置き換えられ、そのときそれらの出口を管１の内壁に対し平行に位置させる。
【００２７】
図３は本発明によるこの小さな管要素を有するノズルの断面を示す。
【００２８】
両側で開放した管は符号１を有し、小さな管は符号２を有し、符号８で弾丸状空気案内要素を示しかつ符号１０でリング状アダプタ要素を示す。
【図面の簡単な説明】
【図１】本発明による装置の１つの実施の形態を示す縦断面図である。
【図２】図１と比較して弾丸状要素が存在しない本発明による装置のさらなる実施の形態を示す縦断面図である。
【図３】ＰＨ3 誘導の作用が個々の小さい管により実施される、もう１つの実施の形態を示す縦断面図である。
【符号の説明】
１        両端の開いた管
２        環状間隙
３        環状のアダプタ
６        空気入口開口
８        空気案内手段
【図１】
0004030315.tif 000002
【図２】
0004030315.tif 000003
【図３】
0004030315.tif 000004